(57)【要約】【課題】非使用時にヘルメットの上部に位置させたとき、前方に突出せず、現場作業時に、障害物と接触してしまう可能性がない防護面を提供する。【解決手段】通過した光によってユーザが外部を認識可能な防護シート１１と、少なくともヘルメット１４の外表面に当接してヘルメットの所定の位置に自身を固定し、ヘルメット対して着脱可能な、ヘルメット固定具１２と、ヘルメット固定具に対して、少なくとも所定の角度範囲回転可能に接続され、防護シートを保持する防護シート固定具と、を有し、防護シート固定具は、ヘルメット固定具に対して回転して、ユーザの顔を覆う使用状態と、使用状態よりもヘルメットの上部側に移動した非使用状態と、を遷移可能であり、防護シートの下側端面は、使用状態において、ユーザの目の位置となる位置と、ユーザの顎の位置となる位置と、の間に、位置するように形成されている。【選択図】図４
2016003413.tif 000002
【特許請求の範囲】
【請求項１】
通過した光によってユーザが外部を認識可能な防護シートと、
少なくともヘルメットの外表面に当接してヘルメットの所定の位置に自身を固定し、ヘルメットに対して着脱可能な、ヘルメット固定具と、
前記ヘルメット固定具に対して、少なくとも所定の角度範囲回転可能に接続され、前記防護シートを保持する防護シート固定具と、を有し、
前記防護シート固定具は、前記ヘルメット固定具に対して回転して、ユーザの顔を覆う使用状態と、前記使用状態よりもヘルメットの上部側に移動した非使用状態と、を遷移可能であり、
前記防護シートの下側端面は、
使用状態において、ユーザの顎の位置となる位置に、
位置するように形成されている
防護面。
【請求項２】
前記防護シートは、
ユーザの正面を覆う正面シートと、
ユーザの右側を覆う右シートと、
ユーザの左側を覆う左シートと、を有する
請求項１に記載の防護面。
【請求項３】
前記正面シートと前記右シートとの接続部分は、使用状態において、下方に行くほどユーザの前方向となるように形成される
請求項２に記載の防護面。
【請求項４】
前記防護シート固定具は、前記防護シートを交換可能に形成されている
請求項１〜３いずれか１項に記載の防護面。
【請求項５】
前記ヘルメット固定具の前方位置には、ライトが配設され、
前記ヘルメット固定具の後方位置には、少なくとも前記ライトを点灯させるための動力源が配設される
請求項１〜４いずれか１項に記載の防護面。
【請求項６】
遮光シートを有し、前記遮光シートは防護シートの内面に着脱自在な請求項１〜５のいずれか１項に記載の防護面。
【発明の詳細な説明】
【技術分野】
【０００１】
本発明は、防護面に関し、特に、防護シートの下側端面が使用者の顎の位置となる位置に、位置するように形成されている防護面に関するものである。
【背景技術】
【０００２】
従来、特許文献１に開示されるような防災面（防護面、防塵面）がある。防災面は、現場で行う切断機を使用しての切断作業などで砥石などの飛来物から顔面を護る防塵用として又は溶接作業における遮光用として用いられている。その主な構成は、例えば、アクリル樹脂で形成された防護シートと、例えば、金属（軽量アルミ）または樹脂で作られた庇と、防護シートの頂部に数カ所緊締具及びＬ型金具により取り付けられ、防護シートを産業用ヘルメット又はフレーム型キャップに取り付けるための金属（軽量アルミ）のＵ字型の支持枠とからなる。
【０００３】
庇も支持枠に取り付けるべく上記Ｌ型金具にリベット止めされ、支持枠と産業用ヘルメット又はフレーム型キャップとの取り付けは支持枠の両端に設けられる適当な取付具によって行われる。防護シートはその用途に応じて無色透明であったり、有色透明であったりする。
【先行技術文献】
【特許文献】
【０００４】
【特許文献１】登録実用新案第３０６５１５４号
【発明の概要】
【発明が解決しようとする課題】
【０００５】
従来の防護面の防護シートは、上下方向に長く、非使用時にヘルメットの上部に位置させたとき、前方に突出するため、現場作業時に、障害物と接触してしまう可能性があるという問題点があった。
【０００６】
そこで、本発明の目的は、非使用時にヘルメットの上部に位置させたとき、前方に突出せず、現場作業時に、障害物と接触してしまう可能性がない防護面を提供することにある。
【課題を解決するための手段】
【０００７】
本発明に係る防護面は、上記の目的を達成するために、次のように構成される。
【０００８】
防護面は、通過した光によってユーザが外部を認識可能な防護シートと、少なくともヘルメットの外表面に当接してヘルメットの所定の位置に自身を固定し、ヘルメットに対して着脱可能な、ヘルメット固定具と、ヘルメット固定具に対して、少なくとも所定の角度範囲回転可能に接続され、防護シートを保持する防護シート固定具と、を有し、防護シート固定具は、ヘルメット固定具に対して回転して、ユーザの顔を覆う使用状態と、使用状態よりもヘルメットの上部側に移動した非使用状態と、を遷移可能であり、防護シートの下側端面は、使用状態において、ユーザの顎の位置となる位置に、位置するように形成されていることで特徴づけられる。
【０００９】
防護面は、好ましくは上記の構成において、防護シートは、ユーザの正面を覆う正面シートと、ユーザの右側を覆う右シートと、ユーザの左側を覆う左シートと、を有することで特徴づけられる。
【００１０】
防護面は、好ましくは上記の構成において、正面シートと右シートとの接続部分は、使用状態において、下方に行くほどユーザの前方向となるように形成されることで特徴づけられる。
【００１１】
防護面は、好ましくは上記の構成において、防護シート固定具は、防護シートを交換可能に形成されていることで特徴づけられる。
【００１２】
防護面は、好ましくは上記の構成において、ヘルメット固定具の前方位置には、ライトが配設され、ヘルメット固定具の後方位置には、少なくともライトを点灯させるための動力源が配設されることで特徴づけられる。
【００１３】
防護面は、好ましくは上記の構成において、遮光シートを有し、遮光シートは防護シートの内面に着脱自在であることで特徴づけられる。
【発明の効果】
【００１４】
本発明によれば、防護シートの下側端面が、使用状態において、使用者の顎の位置となる位置に、位置するように形成されているため、非使用時にヘルメットの上部に位置させたとき、前方に突出せず、現場作業時に、障害物と接触してしまう可能性がない防護面を提供することができる。
【図面の簡単な説明】
【００１５】
【図１】本発明の実施形態に係る防護面の構造を説明する説明図である。
【図２】防護面をヘルメットに固定して、使用するときの状態を示す右側面図である。
【図３】防護面をヘルメットに固定して、使用しないときの状態を示す右側面図である。
【図４】防護面を固定したヘルメットをかぶり、防護シートを下げて顔を覆った状態を示す正面図である。
【図５】防護面を固定したヘルメットをかぶり、防護シートを上げた状態を示す正面図である。
【図６】防護シートを防護シート固定具に固定するときの固定方法を示す防護シートの正面図である。
【図７】防護シートを防護シート固定具に固定するときの固定方法を示す防護シートの側面図である。
【図８】防護面を分解したときの防護シート固定具がヘルメット固定具に接続されている図である。
【図９】防護面を分解したときの防護シートを示す図である。
【図１０】防護シートを固定する前の防護シート固定具の正面図である。
【図１１】防護シートを固定する前の防護シート固定具の側面図である。
【図１２】防護シートを防護シート固定具に固定するときの図である。
【図１３】防護シートを防護シート固定具に固定した後の図である。
【図１４】ヘルメット固定具前部の一部を示す図である。
【図１５】前方位置にライトが配設されたヘルメット固定具を示す図である。
【図１６】後方位置にライトを点灯させるための動力源が配設されたヘルメット固定具を示す図である。
【図１７】ヘルメット固定具の前方位置に配設されたライトを示す図である。
【発明を実施するための形態】
【００１６】
図１は、本発明の実施形態に係る防護面１０の構造を説明する説明図である。図１のように、防護面１０は、通過した光によってユーザが外部を認識可能な防護シート１１と、少なくともヘルメットの外表面に当接してヘルメットの所定の位置に自身を固定し、ヘルメット対して着脱可能な、ヘルメット固定具１２と、ヘルメット固定具１２に対して、少なくとも所定の角度範囲回転可能に接続され、防護シート１１を保持する防護シート固定具１３と、を有している。
なお、防護面は、防災面又は防塵面の上位概念である。
【００１７】
防護シート１１は、防護シート固定具１３に取りつけられる端部に複数の孔部１６を備えている。防護シート固定具１３は、防護シート１１を孔部１６で固定するための複数の留め具１５を備えている。これにより、防護シートが劣化したとき、防護シートのみを交換することができ、経済的である。
【００１８】
また、防護シート固定具１３は、ヘルメット固定具１２と回転可能に接続するためのボルト１２Ｂを通す図示しない孔部を備えている。
【００１９】
ヘルメット固定具１２は、図示しないヘルメットの庇の部分（鍔部）に溝１２Ａ（図１４）ではめて固定するヘルメット固定具前部１２Ｆとヘルメット固定具前部１２Ｆと接続具１２Ｃによって接続されたスプリングなどの弾性体からなるヘルメット固定具１２Ｓから成っている。ヘルメット固定具後部１２Ｓの両端部１２Ｅが接続具１２Ｃの孔部１２Ｈに通すことによって固定されている。
【００２０】
防護面１０は、ヘルメットの前部にある庇にヘルメット固定具前部１２Ｆを溝１２Ａではめ、ヘルメットの後部をヘルメット固定具後部１２Ｓの弾性力で押さえることにより、ヘルメットにヘルメット固定具１２が固定される。このため、この防護面１０は、種々の大きさの既存のヘルメットにそのまま使用することができる。
【００２１】
防護シート１１が取りつけられた防護シート固定具１３は、ボルト１２Ｂで、ヘルメット固定具１２と取り付けた位置を中心に、防護シート１１がユーザの顔を覆った状態、すなわち、ヘルメット固定具前部１２Ｆの位置に防護シート固定具１３が下がりヘルメット固定具前部１２Ｆと接して固定した状態と、防護シート１１がヘルメットの上に上げて固定した状態を回転させることができる。
【００２２】
図２と図３は、防護面１０をヘルメット１４にヘルメット固定具１２により固定した状態を示す図である。また、図４と図５は、防護面１０を固定したヘルメット１４をかぶった状態を示す図である。防護シート固定具１３は、ヘルメット固定具１２に対して回転して、ユーザの顔を覆う使用状態（図２、図４）と、ヘルメット１４の上部側に移動した非使用状態（図３、図５）と、を遷移可能である。また、図４に示すように、防護シート１１は、防護シート１１の下側端面１１Ａは、使用状態において、ユーザの顎の位置となる位置に、位置するように形成されている。なお、顎の位置はヘルメットの大きさからある程度予想が可能である。また、顎の位置となる位置は、顎の位置近傍でよい。例えば、一般的な日本人の顎の位置となることが予想される位置からプラスマイナス３センチ程度までは含まれる。
【００２３】
非使用状態には、ヘルメット１４の上部で、水平面を維持し、現場作業時に上方突起物などにより、作業が阻害されない。また、この長さ故に、非使用状態には、ヘルメット１４前面より、突出せず、ほぼ、ヘルメット１４前面と同一位置で、止まることにより、障害物への接触を容易に避けやすいという効果がある。
【００２４】
図６と図７は、防護シート１１を防護シート固定具１３に固定するときの固定方法を示す図である。防護シート固定具１３は、回転可能な留め具１５を備えている。また、防護シート１１には、留め具１５で固定するための孔部１６を備えている。防護シート１１を防護シート固定具１３に固定するには、防護シート１１の孔部１６を防護シート固定具１３の留め具１５のところに位置させ、留め具１５を回転させることにより固定する。
【００２５】
図８は、防護面１０を分解したときの防護シート固定具がヘルメット固定具に接続された状態を示す図であり、図９は、防護面１０を分解したときの防護シート１１を示す図である。防護シート１１は、ユーザの正面を覆う正面シート１１Ｃと、ユーザの右側を覆う右シート１１Ｒと、ユーザの左側を覆う左シート１１Ｌと、を有している。また、正面シート１１Ｃと右シート１１Ｒとの接続部分は、使用状態において、下方に行くほどユーザの前方向となるように形成されている。
【００２６】
防護シート固定具１３は、回転可能な留め具１５を備えている。また、防護シート１１には、留め具１５で固定するための孔部１６を備えている。それにより、防護シート固定具１２は、防護シート１１を交換可能に形成されている。
【００２７】
防護シート１１を防護シート固定具１３に固定するには、防護シート１１の孔部１６を防塵防護シート固定具１３の留め具１５のところに位置させ（図１０〜図１２）、留め具１５を回転させることにより固定する（図１３）。
【００２８】
図１４は、ヘルメット固定具１２の一部を示す図である。ヘルメット固定具１２には、ヘルメット１４の庇にはめるための溝１２Ａを形成している。図２と図３に示すように、その溝１２Ａをヘルメット１４の庇にはめ、後部のバネ部１２Ｓでヘルメット１４に固定する。
【００２９】
上記構成により、防護シートの下側端面が、使用状態において、使用者の顎の位置となる位置に、位置するように形成されているため、非使用時にヘルメットの上部に位置させたとき、前方に突出せず、現場作業時に、障害物と接触してしまう可能性がない防護面を提供することができる。
【００３０】
なお、図１５〜図１７は、ヘルメット固定具１２の前方位置には、ライト１７が配設され、ヘルメット固定具１２の後方位置には、少なくともライト１７を点灯させるための動力源１８が配設される。これにより、夜間でも作業を行うことができる。そして、前部に設けたライトと後部に設けた電池で重量のバランスを取ることができる。
なお、このライトは、防護シート１１の内側に配置する。これによって、ライトが、塵等によって傷つき劣化することを防ぐことができる。
また、防護面は、遮光シートを有し、遮光シートは防護シートの内面に着脱自在にすることができる。その遮光シートによって溶接時にも容易に使用することができる。
このように、遮光シートを防護シートの内面に配置することによって、遮光シートが塵等によって傷つき劣化することを防ぐことができる。
【００３１】
以上の実施形態で説明された構成、形状、大きさおよび配置関係については本発明が理解・実施できる程度に概略的に示したものにすぎず、また数値および各構成の組成（材質）等については例示にすぎない。従って本発明は、説明された実施形態に限定されるものではなく、特許請求の範囲に示される技術的思想の範囲を逸脱しない限り様々な形態に変更することができる。
【産業上の利用可能性】
【００３２】
本発明の防護面は、埃環境から顔面を護る防塵用として又は溶接作業における遮光用として利用することができる。さらに、本発明の防護面は、その他の防災用、防護用に用いることができる。
【符号の説明】
【００３３】
１０      防護面
１１      防護シート
１２      ヘルメット固定具
１３      防護シート固定具
１４      ヘルメット
１５      留め具
１６      孔部
１７      ライト
【図１】
2016003413.tif 000003
【図２】
2016003413.tif 000004
【図３】
2016003413.tif 000005
【図４】
2016003413.tif 000006
【図５】
2016003413.tif 000007
【図６】
2016003413.tif 000008
【図７】
2016003413.tif 000009
【図８】
2016003413.tif 000010
【図９】
2016003413.tif 000011
【図１０】
2016003413.tif 000012
【図１１】
2016003413.tif 000013
【図１２】
2016003413.tif 000014
【図１３】
2016003413.tif 000015
【図１４】
2016003413.tif 000016
【図１５】
2016003413.tif 000017
【図１６】
2016003413.tif 000018
【図１７】
2016003413.tif 000019